(57)【要約】【課題】  ＩＣタグが添付された書籍においても、不用意に通信を行うことを防止してプライバシーを保護し、同時にＩＣタグが有するトレーサビリティを損なわないようにすることを目的とする。【解決手段】  基材シートと一体の遮蔽シート、または基材シートと重ねて同時に使用する遮蔽シートを備え、電磁波遮蔽層を設けた、書籍の表紙および裏表紙の内側に一部が折り込まれて、書籍の表紙および裏表紙を被覆するブックカバーを提供する。【選択図】  図１
2005088240.tif 000002
【特許請求の範囲】
【請求項１】
書籍の表紙および裏表紙の内側に一部が折り込まれて、書籍の表紙および裏表紙を被覆するブックカバーであって、
電磁波遮蔽層を備えることを特徴とするブックカバー。
【請求項２】
請求項１記載のブックカバーであって、
前記電磁波遮蔽層を、
電磁波遮蔽性を有する素材により形成した基材シート自体が構成することを特徴とするブックカバー。
【請求項３】
請求項１記載のブックカバーであって、
前記電磁波遮蔽層を、
基材シートの少なくとも１面に、電磁波遮蔽性を備える遮蔽材を密着加工することにより構成することを特徴とするブックカバー。
【請求項４】
請求項１記載のブックカバーであって、
前記電磁波遮蔽層を、
基材シート間に、電磁波遮蔽性を有する遮蔽材を挟み込むことにより構成することを特徴とするブックカバー。
【請求項５】
請求項１記載ブックカバーであって、
前記電磁波遮蔽層を、
基材シート形成時に、電磁波遮蔽性を有する素材を合成することにより構成することを特徴とするブックカバー。
【請求項６】
請求項１記載ブックカバーであって、
前記電磁波遮蔽層を、
各々独立して作成した基材シートおよび電磁波遮蔽性を備える遮蔽シートを、重ね合わせることにより構成することを特徴とするブックカバー。
【発明の詳細な説明】
【技術分野】
【０００１】
本発明は、本の購入者のプライバシー保護に利用可能なブックカバーに関するものである。
【背景技術】
【０００２】
近年、インフォメーションテクノロジーの進展を背景として、出版分野においても、無線による個別情報認識（ＲＦＩＤ：Ｒａｄｉｏ  Ｆｒｅｑｕｅｎｃｙ  Ｉｄｅｎｔｉｆｉｃａｔｉｏｎ）素子であるＩＣタグを、「製造・物流・保管・小売・消費・リサイクル」などの様々な場面へ適用することを検討している（例えば、非特許文献１参照）。
【非特許文献１】“設立趣意書”、〔online〕、日本出版インフラセンター  ＩＣタグ技術協力企業コンソーシアム、〔平成１５年９月５日検索］、インターネット＜http://www.ipo.or.jp/＞  しかしながら、ＩＣタグを添付した書籍が流通する場合、購入後においても、ＩＣタグに記録されている個別識別情報を読み取り、その書籍の分野や書名などを認識することにより、思想、趣味、嗜好などの本来プライバシーに属する情報が保護されないという問題がある。
【０００３】
購入後において、書籍からＩＣタグを取り除くことにより、プライバシーを保護することは可能であるが、リサイクルなどの際に、元の流通経路を遡ることができないなど、ＩＣタグが有するトレーサビリティを喪失してしまうという不都合が生じてしまう。
【０００４】
なお、「ＲＦＩＤ素子」は、基材の形状や用途などにより、「非接触ＩＣタグ」、「非接触データキャリア」、「無線ＩＣタグ」、「非接触ＩＣラベル」、「非接触ＩＣ」、「トランスポンダ」など、様々な名称で表現されており、本発明においては、代表して「ＩＣタグ」と称している。
【発明の開示】
【発明が解決しようとする課題】
【０００５】
本発明は上述の問題点に鑑みてなされたものであり、その目的とするところは、ＩＣタグが添付された書籍においても、不用意に通信を行うことを防止してプライバシーを保護し、同時にＩＣタグが有するトレーサビリティを損なわないようにすることである。
【課題を解決するための手段】
【０００６】
上記目的を達成するために、本発明の第１の態様は、書籍の表紙および裏表紙の内側に一部が折り込まれて、書籍の表紙および裏表紙を被覆するブックカバーにおいて、電磁波遮蔽層を設けたものである。
【０００７】
本発明の第２の態様は、上述の第１の態様に係るブックカバーにおいて、前記電磁波遮蔽層が、電磁波遮蔽性を有する素材により形成した基材シート自体により構成するようにしたものである。
【０００８】
本発明の第３の態様は、上述の第１の態様に係るブックカバーにおいて前記電磁波遮蔽層を、基材シートの少なくとも１面に電磁波遮蔽性を備える遮蔽材を密着加工することにより構成するようにしたものである。
【０００９】
本発明の第４の態様は、上述の第１の態様に係るブックカバーにおいて、前記電磁波遮蔽層を、基材シート間に電磁波遮蔽性を有する遮蔽材を挟み込むことにより構成するようにしたものである。
【００１０】
本発明の第５の態様は、上述の第１の態様に係るブックカバーにおいて、前記電磁波遮蔽層を、基材シート形成時に電磁波遮蔽性を有する素材を編み込むことにより構成するようにしたものである。
【００１１】
本発明の第６の態様は、上述の第１の態様に係るブックカバーにおいて、前記電磁波遮蔽層を、各々独立して作成した基材シートおよび電磁波遮蔽性を備える遮蔽シートを重ね合わせることより構成するようにしたものである。
【発明の効果】
【００１２】
本発明に係るブックカバーによれば、書籍に電磁波遮蔽層を備えるブックカバーを取り付けることにより、ＩＣタグに記録されている個別識別情報の読み取りを防止することができ、プライバシー保護が可能となる。
【００１３】
また、プライバシー保護のために書籍からＩＣタグを取り外す必要がないため、ブックカバーを取り外すだけで、ＩＣタグが有するトレーサビリティを再度利用することが可能となる。
【発明を実施するための最良の形態】
【００１４】
以下、本発明を図示する実施形態に基づいて説明する。図１は、本発明のブックカバーの実施例を示す概略の斜視図である。
【００１５】
ブックカバーは、紙、布などを基材シート１とし、書籍に添付されているＩＣタグと読み取り装置間の無線通信を遮断するための電磁波遮蔽層２を備えており、書籍の表紙および裏表紙の内側に一部（図１においては、左右両端）が折り込まれて、書籍の表紙および裏表紙を被覆するものである。
【００１６】
一般に、無線通信を遮断するには、導電率や透磁率が高い材料、すなわち金属、もしくは金属を付加した素材で被覆すればよいから、ブックカバーの電磁波遮蔽層２により、書籍に添付したＩＣタグを被覆すればよい。
【００１７】
電磁波遮蔽層２は、図１に示すブックカバーにおいて、ブックカバー自体をアルミなどの電磁波遮断性を有する基材シートで形成することにより構成することができる。
【００１８】
また、電磁波遮蔽層２は、例えば、基材シート１の裏面にアルミシートを接着剤で貼り付けたり、金属を蒸着またはコーティングするなど、基材シート１の少なくとも一面に電磁波遮蔽性を備える遮蔽材を密着加工して構成してもよい。
【００１９】
また、電磁波遮蔽層２は、例えば、２枚の基材シートの間や袋状にした１枚の基材シートの中にアルミシートを入れるなど、基材シート間に電磁波遮蔽性を有する遮蔽材を挟み込んで構成してもよい。
【００２０】
また、電磁遮蔽層２は、例えば、電磁波遮蔽性を有する金属メッシュをインサート成形したプラスチックフィルムの基材シートや、金属繊維などを布などの基材シートに編み込むなど、基材シート形成時に電磁波遮蔽性を有する素材を合成することにより構成してもよい。
【００２１】
また、図２に示すように、各々独立した基材シート１と電磁波遮蔽性を備える遮蔽シート３を用意し、書籍を被覆する際に重ね合わせることにより、ブックカバーとすることも可能である。
【００２２】
この時、図３に示すように、基材シート１を書籍の高さに合わせて折り、基材シート１の折片により遮蔽シート３を挟み込み、本の幅に合わせて、基材シート１と遮蔽シート３をまとめて書籍の内側に折り込むことにより、ブックカバーを構成することができる。
【００２３】
電磁波遮蔽層は、電磁波遮蔽性を有して、ブックカバーとして書籍の縁に沿って折り曲げ可能で、持ち運び可能な程軽量であれば、特に素材が限定されるものではない。
【図面の簡単な説明】
【００２４】
【図１】本発明のブックカバーの一実施例を示す概略的な斜視図である。
【図２】本発明のブックカバーの基材シートと遮蔽シートが各々別シートである場合の概略的な斜視図である。
【図３】本発明のブックカバーの基材シートと遮蔽シートが各々別シートである場合の書籍への装着方法を示す説明図である。
【符号の説明】
【００２５】
１  基材シート
２  電磁波遮蔽層
３  遮蔽シート
【図１】
2005088240.tif 000003
【図２】
2005088240.tif 000004
【図３】
2005088240.tif 000005